(57)【要約】  本発明は、超音波を用いて部品を溶接するための装置（１０′）に関する。装置（１０′）は、振動発生装置によってねじり軸（Ｔ）に対してねじり振動を起こすように励起され得るソノトロードヘッド（１２′）を有するソノトロード（１１′）を備え、ねじり軸（Ｔ）に対して周囲側のソノトロードヘッド（１２′）には、少なくとも１つの溶接面（１４′）が配置される。また、装置（１０′）は、ソノトロードヘッド（１２′）の振動ノードを含む支持領域（１６′）内にソノトロードヘッド（１１′）を支持する支持装置（１５′）を備える。上記支持領域（１６′）および溶接面（１４′）は、ねじり軸（Ｔ）に対して垂直に延在する共通面（Ｅ）内に少なくとも部分的に延在している。また、本発明は、超音波を用いて部品を溶接するための装置（１０′）に関し、装置（１０′）では、ソノトロード（１１′）は、ねじり軸（Ｔ）に対して基本的に垂直な支持領域（１６′）を貫通するボアホール（１７′）を備え、支持装置（１５′）は、ボアホール（１７′）を通る支持ボルト（１８′）を含み、上記支持ボルトは、ボアホール（１７′）における支持領域（１６′）内にソノトロード（１１′）を支持する。本発明はさらに、温度制御装置を使用して超音波を用いて部品を溶接するための装置（１０″；１０′′′）に関する。
2018527187.tif 000002
【特許請求の範囲】
【請求項１】
超音波を用いて部品を溶接するための装置（１０；１０′；１０″）であって、
振動発生装置によってねじり軸（Ｔ）に対してねじり振動を起こすように励起され得るソノトロードヘッド（１２；１２′；１２″）を有するソノトロード（１１；１１′；１１″）を備え、前記ねじり軸（Ｔ）に対して周方向側の前記ソノトロードヘッド（１２；１２′；１２″）には、少なくとも１つの溶接面（１４；１４′；１４″）が配置され、前記装置はさらに、
前記ソノトロードヘッド（１２；１２′；１２″）の振動ノードを含む支持領域（１６；１６′；１６″）内に前記ソノトロードヘッド（１１；１１′；１１″）を支持する支持装置（１５；１５′；１５″）を備え、
前記支持領域（１６；１６′；１６″）および前記溶接面（１４；１４′；１４″）は、前記ねじり軸（Ｔ）に対して垂直に延在する共通面（Ｅ）内に少なくとも部分的に延在していることを特徴とする、装置。
【請求項２】
前記支持領域（１６；１６′；１６″）は、前記ソノトロードヘッド（１２；１２′；１２″）の（前記ねじり軸（Ｔ）に対する）内側領域のみを形成することを特徴とする、請求項１に記載の装置（１０；１０′；１０″）。
【請求項３】
超音波を用いて部品を溶接するための装置（１０；１０′；１０″；１０′′′）であって、
振動発生装置によってねじり軸（Ｔ）に対してねじり振動を起こすように励起され得るソノトロードヘッド（１２；１２′；１２″；１２′′′）を有するソノトロード（１１；１１′；１１″；１１′′′）と、
前記ソノトロードヘッド（１２；１２′；１２″；１２′′′）の振動ノードを含む支持領域（１６；１６′；１６″；１６′′′）内に前記ソノトロードヘッド（１１；１１′；１１″；１１′′′）を支持する支持装置（１５；１５′；１５″；１５′′′）とを備え、
特に、請求項１〜２のいずれか１項に記載の装置は、
前記ソノトロード（１１；１１′；１１″；１１′′′）が、前記ねじり軸（Ｔ）に対して実質的に垂直に前記支持領域（１６；１６′；１６″；１６′′′）を貫通するボア（１７；１７′；１７″；１７′′′）を有し、前記支持装置（１５；１５′；１５″；１５′′′）が、前記ボア（１７；１７′；１７″；１７′′′）を貫通し、かつ、前記ボア（１７；１７′；１７″；１７′′′）における前記支持領域（１６；１６′；１６″；１６′′′）内に前記ソノトロード（１１；１１′；１１″，１１′′′）を支持する支持ピン（１８；１８′；１８″；１８′′′）を備えることを特徴とする、装置。
【請求項４】
前記支持ピン（１８；１８′；１８″；１８′′′）は、中間嵌め、収縮または圧入を用いて前記ボア（１７；１７′；１７″；１７′′′）における前記支持領域（１６；１６′；１６″；１６′′′）内に前記ソノトロード（１１；１１′；１１″；１１′′′）を支持することを特徴とする、請求項３に記載の装置（１０；１０′；１０″；１０′′′）。
【請求項５】
前記支持ピン（１８；１８′；１８″；１８′′′）は、前記ねじり軸（Ｔ）と交差することを特徴とする、請求項３および４のいずれか１項に記載の装置（１０；１０′；１０″；１０′′′）。
【請求項６】
前記ボア（１７；１７′；１７″）は、前記支持領域（１６；１６′；１６″）の方向にテーパ状になっていることを特徴とする、請求項３〜５のいずれか１項に記載の装置（１０；１０′；１０″）。
【請求項７】
前記支持ピン（１８；１８′；１８″）は、前記支持ピン（１８；１８′；１８″）が前記ソノトロードヘッド（１１；１１′；１１″）を支持する中央領域（２４；２４′；２４″）の方向に広くなっていることを特徴とする、請求項３〜６のいずれか１項に記載の装置（１０；１０′；１０″）。
【請求項８】
前記支持ピン（１８；１８′；１８″）に沿った前記支持領域（１６；１６′；１６″）の長さは、前記支持ピン（１８；１８′；１８″）に沿った前記ソノトロードヘッド（１２；１２′；１２″）の大きさの１０％〜３０％、好ましくは２０％〜２５％であることを特徴とする、請求項３〜７のいずれか１項に記載の装置（１０；１０′，１０″）。
【請求項９】
前記支持ピン（１８；１８′；１８″）は、互いに対向しており、かつ、いずれの場合にも１つのベアリング開口（２９；２９′；２９″）に受けられる２つの端部（２０；２０′；２０″）を有することを特徴とする、請求項３〜８のいずれか１項に記載の装置（１０；１０′；１０″）。
【請求項１０】
一体成形であり、特に２つの前記ベアリング開口（２９；２９′；２９″）を少なくとも部分的に形成するベアリングブロック（２３；２６′；２６″）を備えることを特徴とする、請求項９に記載の装置（１０；１０′；１０″）。
【請求項１１】
前記ねじり軸（Ｔ）に対して実質的に垂直に前記ベアリングブロック（２３；２６′；２６″）に対して作用する力（Ｋ）を発生させるための圧力装置を含み、その結果、第２の部品に接続される第１の部品に前記溶接面（１４；１４′；１４″）を押圧することができることを特徴とする、請求項１０に記載の装置（１０；１０′；１０″）。
【請求項１２】
超音波を用いて部品を溶接するための装置（１０″；１０′′′）であって、
振動発生装置によって振動を起こすように励起され得るソノトロードヘッド（１２″；１２′′′）を有するソノトロード（１１″；１１′′′）と、
前記ソノトロードヘッド（１２″；１２′′′）の振動ノードを備える支持領域（１６″；１６′′′）内に前記ソノトロードヘッド（１１″；１１′′′）を支持する支持装置（１５″；１５′′′）とを備え、
特に、請求項１〜１１のいずれか１項に記載の装置（１０″；１０′′′）は、
前記支持装置（１５″；１５′′′）が、前記ソノトロードヘッド（１２″，１２′′′）の温度を制御するため、特に前記ソノトロードヘッド（１２″，１２′′′）を冷却または加熱するための温度制御装置を有し、前記温度制御装置が、温度制御媒体のための少なくとも１つの温度制御供給部と、少なくとも１つの温度制御要素とを備え、前記温度制御供給部が、前記支持装置（１５″；１５′′′）を通して導かれ、前記温度制御要素が、前記温度制御供給部に動作可能に接続され、好ましくは前記ソノトロードヘッド（１２″，１２′′′）の溶接面（１４″；１４′′′）の領域に配置されることを特徴とする、装置。
【請求項１３】
前記温度制御供給部は、温度制御流体を前記ソノトロードヘッド（１２″，１２′′′）に導入したり前記ソノトロードヘッド（１２″，１２′′′）から排出したりすることができる少なくとも１つの供給ダクト（３１″；３１′′′）を備え、前記温度制御要素は、前記温度制御流体のための少なくとも１つの温度制御ダクトを備え、前記温度制御ダクトは、前記供給ダクト（３１″；３１′′′）に流体接続されることを特徴とする、請求項１２に記載の装置（１０″；１０′′′）。
【請求項１４】
前記ソノトロード（１１″；１１′′′）は、前記支持領域（１６″；１６′′′）を貫通するボア（１７″；１７′′′）を有し、前記支持装置（１５″；１５′′′）は、前記ボア（１７″；１７′′′）を貫通し、かつ、前記ボア（１７″；１７′′′）における前記支持領域（１６″；１６′′′）内に前記ソノトロード（１１″，１１′′′）を支持する支持ピン（１８″；１８′′′）を備え、
前記支持ピン（１８″；１８′′′）は、前記供給ダクト（３１″；３１′′′）を有し、前記供給ダクト（３１″；３１′′′）は、前記支持ピン（１８″；１８′′′）の両端（２０″；２０′′′）に配置される開口（３２″，３３″）において開口することを特徴とする、請求項１２および１３のいずれか１項に記載の装置（１０″；１０′′′）。
【請求項１５】
前記ソノトロードヘッド（１２；１２′；１２″）は、振動発生装置によってねじり軸（Ｔ）に対してねじり振動を起こすように励起され得て、前記ソノトロードヘッド（１２；１２′；１２″）は、前記ねじり軸（Ｔ）に対して径方向にあり、かつ、端部にいずれの場合にも１つの溶接面（１４；１４′；１４″）が形成される少なくとも１つ、好ましくは複数の突起（２２；２２′；２２″）を有することを特徴とする、請求項１〜１４のいずれか１項に記載の装置（１０；１０′；１０″）。
【請求項１６】
前記ソノトロードヘッド（１２；１２′；１２″）は、振動発生装置によってねじり軸（Ｔ）に対してねじり振動を起こすように励起され得て、前記ソノトロードヘッド（１２；１２′；１２″）は、前記ねじり軸（Ｔ）に対して径方向にあり、かつ、互いに対向しており、かつ、端部にいずれの場合にも１つの溶接面（１４；１４′；１４″）が形成される厳密に２つの突起（２２；２２′；２２″）を有し、前記支持ピン（１８；１８′；１８″）は、前記２つの溶接面（１４；１４′；１４″）を互いに接続する接続線（Ｖ）に対して実質的に垂直に延在していることを特徴とする、請求項３〜１５のいずれか１項に記載の装置（１０；１０′，１０″）。
【発明の詳細な説明】
【技術分野】
【０００１】
本発明は、独立特許請求項のプリアンブルに係るソノトロードヘッドを支持するための支持装置を使用して超音波を用いて部品を溶接するための装置に関する。
【背景技術】
【０００２】
ソノトロードヘッドのための公知の支持装置は、最小振幅（いわゆるゼロ点支持）で、ある場所に取り付けられる。これにより、実際の溶接動作のために提供される超音波エネルギが支持装置によってできるだけ除去されないような状況を実現することができる。その結果、支持装置における望ましくない温度上昇も回避することができる。
【０００３】
たとえば、ＵＳ３，１８４，８４１には、たとえば超音波トランスデューサを利用してねじり振動を起こすように励起され得るトーションソノトロードが開示されている。環状溶接先端部の作業面がねじり軸に対して垂直に延在している。ソノトロードは、振動ノードにおける質量によって支持される。
【０００４】
ＷＯ０２／０６１８９５  Ａ１は、たとえばトーションソノトロードまたは長手方向振動子によって実現可能な導体の接続に関するものである。長手方向振動子は、振動ノードに取り付けることができる。
【０００５】
ＥＰ２  ２６１  ００８  Ａ１には、超音波処理のためのさらなる装置および方法が開示されている。ソノトロードは、ねじり超音波振動を起こすように励起される。ソノトロードは、アンビルの係合部材が導入されるスロットを有し、その結果、溶接すべき２枚のプラスチックフィルムのために溶接ギャップが形成される。係合部材は、動作部の領域に、くさび面に隣接する受け台端縁を有する。係合部材または溝底部のいずれかに配置される支持セグメントは、円錐先端部を有し、当該円錐先端部は、ねじり軸の方向に位置し、溶接中に振動しないゼロ点接触を形成する。
【０００６】
ＷＯ２０１１／１３８４０４  Ａ１に開示されているトーションソノトロードは、周方向領域に作業面を有する突起を備える。いずれの場合にも、トーションソノトロードの固有振動の波長に対してノード線上に位置する１つの環状面が、作業面の両側に設けられている。１つの例示的な実施形態では、支持装置は上記環状面の周囲に係合する。圧力装置を利用して圧力が生成される。
【０００７】
ＷＯ２０１２／０６９４１３  Ａ１の例示的な実施形態では、ソノトロードの後方の長手方向位置において、ねじり振動子は、ねじり振動子のためのベアリングを形成するクランピングリングによって取り囲まれている。上記クランピングリングは、一般に振動ノードに配置される。
【０００８】
しかし、上記の公知の支持装置は全て、振動ノードの位置が、ソノトロードヘッドに対して作用する力およびトルクに依存する、という不利な点を有している。一般的に言えば、振動ノードは、数ミリメートルだけずれる可能性がある。これは、超音波エネルギの望ましくない除去を引き起こし、既に上記した関連する不利な点が生じることになる。
【発明の概要】
【課題を解決するための手段】
【０００９】
したがって、本発明の目的は、上記の不利な点を持たない、超音波を用いて部品を溶接するための装置を提供することである。したがって、特に、当該装置のソノトロードは、超音波エネルギの無視できないほどの除去が起こらないように、正確に言うとソノトロードヘッドに対して作用する力またはトルクから独立して、支持されるべきである。
【００１０】
上記目的およびさらなる目的は、超音波を用いて部品を溶接するための装置によって本発明の第１の局面に従って達成され、当該装置は、ソノトロードヘッドを有するソノトロードと、支持装置とを備える。ソノトロードヘッドは、振動発生装置によってねじり軸に対してねじり振動を起こすように励起され得る。本発明の第１の局面によれば、ねじり軸に対して周方向側のソノトロードヘッドには、少なくとも１つの溶接面が配置される。支持装置は、ソノトロードヘッドの振動ノードを含む支持領域内にソノトロードヘッドを支持する。
【００１１】
本発明の第１の局面によれば、支持領域および溶接面は、ねじり軸に対して垂直に延在する共通面内に少なくとも部分的に延在している。この実施形態には、振動ノードの位置が、実際には、溶接面に対して作用する力またはトルクに依存しないという利点がある。したがって、上記力またはトルクから独立して、超音波エネルギの無視できないほどの除去が支持装置によって引き起こされることはなく、その結果、超音波エネルギの大部分を実際の溶接目的に利用することができる。
【００１２】
有利に、支持領域は、ソノトロードヘッドの（ねじり軸に対する）内側領域のみを形成する。ねじり振動の振幅が外側領域よりも上記内側領域において小さいので、その結果、支持装置で除去される超音波エネルギをさらに減少させることができる。
【００１３】
本発明の第２の独立局面によれば、装置は、同様に、超音波を用いて部品を溶接するように設計され、振動発生装置によってねじり軸に対してねじり振動を起こすように励起され得るソノトロードヘッドを有するソノトロードと、ソノトロードヘッドの振動ノードを含む支持領域内にソノトロードヘッドを支持する支持装置とを備える。しかし、第２の局面によれば、ねじり軸に対して周方向側のソノトロードヘッドに溶接面が配置されなくてもよく、その代わりに、少なくとも１つの溶接面は、ねじり軸に対して垂直な、ソノトロードヘッドの端面に配置され得る。第２の局面によれば、支持領域および溶接面も、ねじり軸に対して垂直に延在する共通面内に少なくとも部分的に延在していなくてもよい。
【００１４】
第２の局面によれば、ソノトロードは、ねじり軸に対して実質的に垂直に支持領域を貫通するボアを有し、支持装置は、ボアを貫通し、かつ、ボアにおける支持領域内にソノトロードを支持する支持ピンを備える。ここでおよび以下の本文において、「ねじり軸に対して実質的に垂直に」貫通するとは、ボアが８０°〜１００°の角度で支持領域を貫通することを意味するように理解される。上記角度は、好ましくは８５°〜９５°、さらに好ましくは８９°〜９１°の範囲内であり、さらに特に好ましくは９０°である。その理由は、上記角度が９０°に近付くにつれて、除去される超音波エネルギが少なくなるからである。このようにして、ソノトロードヘッドの（ねじり軸に対する）内側領域においてのみ、支持を特に簡単に実現することができ、その結果、既に上記した利点を実現することができる。
【００１５】
全く驚くべき態様で示されたように、ソノトロードの音響特性は、それを貫通するボアによって、および、ボアを貫通する支持ピンによって、不利な影響を受けることはない。このタイプの支持ピンには、特にソノトロードを再位置決めまたは交換するときにソノトロードを正確に使用できるという利点がある。
【００１６】
ソノトロードおよび支持ピンが互いに一体に構成されるということが考えられ、本発明の文脈の範囲内である。しかし、有利に、ソノトロードおよび支持ピンは、ともに接合された２つの別々の部品である。支持ピンは、たとえば中間嵌め、収縮または圧入を用いてボアにおける支持領域内にソノトロードを支持してもよい。
【００１７】
特に有利に、支持ピンは、ねじり軸と交差する。このようにして、支持ピンは、ソノトロードヘッドの（ねじり軸に対する）内側領域を特に効果的に支持することができる。
【００１８】
ソノトロードヘッドの（ねじり軸に対する）内側領域においてのみ支持を可能にするために、ボアは、支持領域の方向にテーパ状になっていてもよい。この表現は、ボアの円錐形領域と、ボアが支持領域でも互いに対向する２つの開口セクションでも円筒形であり、ボアがソノトロードから開口し、ボアが支持領域において第１の内径を有するが、第１の内径が開口セクションにおけるボアの第２の内径よりも小さい実施形態とを含む。このタイプの階段状領域は、円錐形領域よりも製造が容易である。
【００１９】
代替例としてまたは加えて、支持ピンは、支持領域の方向に広くなっていてもよい。同様に、この表現は、第１の外径を有する中央領域と、第１の外径よりも小さな第２の外径を有する２つの端部領域とを有する支持ピンも含む。支持領域が長くなればなるほど、支持が安定的になる。しかし、第二に、支持領域の長さが長くなるにつれて、ねじり振動の減衰もますます不所望に生成される。支持ピンに沿った支持領域の長さが、支持ピンに沿ったソノトロードヘッドの大きさの１０％〜３０％、好ましくは２０％〜２５％であれば、実際には有利であることが証明された。
【００２０】
さらなる有利な実施形態では、支持ピンは、互いに対向しており、かつ、いずれの場合にも１つのベアリング開口に受けられる２つの端部を有していてもよい。このようにして、溶接中に生成される力およびトルクは、ベアリングシステムに伝達可能である。ベアリング開口の各々は、いずれの場合にも一体成形のベアリングブッシュの開口として構成されてもよい。代替例として、ベアリング開口の各々は、２つのベアリング部品によって、たとえばベアリングブロックおよびクランプ爪によって、形成されてもよい。たとえばソノトロードを別の位置に移すために、このタイプのクランプ爪をベアリングブロックから解放することによって特に簡単に支持ピンにアクセスすることができ、別の溶接面を溶接に使用することができる。
【００２１】
特に有利に、装置は、一体成形であり、特に２つの上記ベアリング開口を少なくとも部分的に形成するベアリングブロックを備える。このタイプの一体成形のベアリングブロックは、構造の点で特に単純である。しかし、この代替例として、２つのベアリングブッシュが互いに一体に構成されないことも考えられ、同様に本発明の範囲内である。
【００２２】
さらに、装置は、ねじり軸に対して実質的に垂直にベアリングブロックに対して作用する力を発生させるための圧力装置を備えていてもよい。ここでおよび以下の本文において、「ねじり軸に対して実質的に垂直に作用する力」とは、当該力とねじり軸との間の角度が７０°〜１１０°、好ましくは８０°〜１００°、特に好ましくは８５°〜９５°の範囲内であり、さらに特に好ましくは９０°であることを意味するように理解される。このようにして、第２の部品に接続される第１の部品に溶接面を押圧することができる。本発明に係る支持装置のために、圧力装置によって発生する力が振動ノードの位置のいかなる無視できないほどのずれも生じさせることはない。
【００２３】
支持ピンは、中空ピンとして構成されてもよく、または中実の材料で構成されてもよい。中空ピンには振動減衰の向上という利点があるのに対して、中実の材料で構成されるピンはより機械的に安定している。
【００２４】
第３の独立局面では、本発明は、超音波を用いて部品を溶接するための装置に関し、当該装置は、振動発生装置によって振動を起こすように励起され得るソノトロードヘッドを有するソノトロードと、ソノトロードヘッドの振動ノードを含む支持領域内にソノトロードヘッドを支持する支持装置とを備える。
【００２５】
振動発生装置は、ねじり軸に対してねじり振動を起こすようにソノトロードヘッドを励起するように構成され得る。ここで、ねじり軸に対して周方向側に少なくとも１つの溶接面が配置されてもよく、および／または、ねじり軸に対して垂直な端面に少なくとも１つの溶接面が配置されてもよい。しかし、代替例として、振動発生装置は、長手方向振動を起こすようにソノトロードヘッドを励起するように構成されてもよい。
【００２６】
本発明の上記第３の局面では、装置は、ソノトロードヘッドの温度を制御するため、特にソノトロードヘッドを冷却または加熱するための温度制御装置を有する。温度制御装置は、温度制御媒体のための少なくとも１つの温度制御供給部と、少なくとも１つの温度制御要素とを備え、温度制御供給部は、支持装置を通して導かれ、温度制御要素は、温度制御供給部に動作可能に接続され、好ましくはソノトロードヘッドの溶接面の領域に配置される。以下でさらに説明するように、動作可能な接続は、たとえば流体接続または電気接続で構成されてもよい。ソノトロードヘッドの振動ノードを含む支持領域内にソノトロードヘッドを支持する支持装置に温度制御供給部が配置されるので、温度制御供給部は、実際には、超音波振動によって損なわれることはない。溶接面の領域におけるソノトロードヘッドの冷却は、特に効果的である。なぜなら、大半の熱が溶接中にそこで生成されるからである。溶接面の領域におけるソノトロードヘッドの加熱も、いくつかの実施形態では有利であると証明された。さらに、ソノトロードヘッドの温度制御には、温度、およびしたがって共振周波数も比較的一定に保つことができるという利点がある。
【００２７】
いくつかの例示的な実施形態では、温度制御供給部は、温度制御流体をソノトロードヘッドに導入したりソノトロードヘッドから排出したりすることができる少なくとも１つの供給ダクトを備える。上記例示的な実施形態では、温度制御流体は、温度制御媒体を形成する。温度制御流体、特に冷却流体または加熱流体は、たとえば気体または水などの液体であってもよい。少なくとも１つの供給チャネルは、開口において支持装置から開口し得る。温度制御流体は、第１の開口を介して導入されてもよく、さらに第２の開口から排出されてもよい。温度制御要素は、温度制御流体のための少なくとも１つの温度制御ダクトを備え、温度制御ダクトは、供給ダクトに流体接続される。
【００２８】
代替例として、温度制御媒体は、電流であってもよい。電流は、支持装置に配置された電線路によってソノトロードヘッドに導入されてもよく、電線路は温度制御供給部を形成する。温度制御要素は、電線路に電気的に接続される電気的温度制御要素であってもよい。電気的温度制御要素は、ソノトロードヘッドを冷却または加熱するためにたとえばペルティエ素子として構成されてもよく、および／または、ソノトロードヘッドを加熱するために加熱ワイヤとして構成されてもよい。
【００２９】
１つの考えられる実施形態では、支持装置は、中空ピンとして構成され、かつ、温度制御流体のための供給ダクトをその中に含む温度制御供給部を形成する上記の支持ピンを備える。供給ダクトは、たとえばセンタリングされた態様で中空ピン内に配置されてもよく、円筒形の構成であってもよい。少なくとも１つの供給ダクトは、支持ピンの両端に配置され得る開口において開口してもよく、または支持ピンの同一の端部において開口してもよい。本発明の第１の局面に従って支持領域および溶接面が、ねじり軸に対して垂直に延在する共通面内に少なくとも部分的に延在している場合、少なくとも１つの供給ダクトおよび温度制御ダクトは、支持ピンの共通のボアによって形成されてもよく、共通のボアは全体にわたって円筒形であってもよい。
【００３０】
他の実施形態では、たとえばソノトロードヘッドに配置されるペルティエ要素に電流を供給するために、電線路が支持ピンを通して導かれてもよい。
【００３１】
本発明の第１の局面は、ボアおよび支持ピンとは異なる態様でソノトロードが支持領域に支持される装置も含む。
【００３２】
ソノトロードヘッドは、ねじり軸に対して径方向にあり、かつ、端部にいずれの場合にも１つの溶接面が形成される少なくとも１つ、好ましくは複数の突起を有していてもよい。このタイプの径方向の突起により、ソノトロードヘッド全体が大きな半径を有する必要なしに、溶接面において大きなねじり振動振幅を実現することができる。
【００３３】
さらに、ソノトロードヘッドが、ねじり軸に対して径方向にあり、かつ、互いに対向しており、かつ、端部にいずれの場合にも１つの溶接面が形成される厳密に２つの突起を有し、支持ピンが、２つの溶接面を互いに接続する接続線に対して実質的に垂直に延在していれば、有利である。ここで、「実質的に垂直」な進路とは、支持ピンと接続線との間の角度が７０°〜１１０°、好ましくは８０°〜１００°、特に好ましくは８５°〜９５°の範囲内であり、さらに特に好ましくは９０°であることを意味するように理解される。このタイプの実質的に垂直な進路は、支持装置による力およびトルクの伝達のさらなる向上を確実にする。
【００３４】
以下の本文において、複数の例示的な実施形態および図面を用いて、本発明について詳細に説明する。
【図面の簡単な説明】
【００３５】
【図１ａ】本発明に係る第１の装置の概略斜視図を示す。
【図１ｂ】図１ａに係る装置の断面図を示す。
【図２ａ】本発明に係る第２の装置の斜視図を示す。
【図２ｂ】図２ａに係る装置の第１の断面図を示す。
【図２ｃ】図２ａに係る装置の第２の断面図を示す。
【図２ｄ】図２ａ〜図２ｃに係る装置のソノトロードの断面図を示す。
【図２ｅ】図２ａ〜図２ｄに係る装置の支持ピンの斜視図を示す。
【図３】本発明に係る第３の装置の断面図を示す。
【図４】ソノトロードヘッドの端面上に配置された溶接面を有する本発明に係る第４の装置の斜視図を示す。
【発明を実施するための形態】
【００３６】
概略図１ａに示される、超音波を用いて部品を溶接するための装置１０は、２つのエンドピース１３とソノトロードヘッド１２とを有するソノトロード１１を備え、ソノトロードヘッド１２は、２つのエンドピース１３の間に配置されており、振動発生装置（ここでは図示せず）を利用して、エンドピース１３を介してねじり軸Ｔに対してねじり振動を起こすように励起され得る。ソノトロードヘッド１２は、ねじり軸Ｔに対して径方向にあり、かつ、互いに向かい合わせに位置する２つの突起２２を有する。いずれの場合にも、１つの溶接面１４が突起２２の端部に形成され、溶接面１４によって第１の部品を第２の部品に溶接によって接続することができる。したがって、ねじり軸Ｔに対して周方向側に２つの溶接面１４が配置される。さらに、装置１０は、支持領域内にソノトロードヘッド１２を支持する支持装置１５を備える。図１ｂにさらに詳細に示されている上記支持領域は、ソノトロードヘッド１２の振動ノードを収容する。
【００３７】
図１ｂに係る断面図は、支持装置１５の詳細を示す。ソノトロード１１は、ねじり軸Ｔに対して垂直に、また２つの溶接面１４を互いに接続する接続線Ｖに対して垂直に支持領域１６を貫通する円筒形ボア１７を有する。さらに、支持装置１５は、ボア１７を通る支持ピン１８を備え、支持ピン１８の中央領域２４は、ボア１７における支持領域１６内にソノトロード１１を支持する。支持ピン１８は、その中央領域２４の方向に広くなっている。ここに示されている例示的な実施形態では、支持ピン１８に沿った支持領域１６の長さは、支持ピン１８に沿ったソノトロードヘッド１２の大きさの約２０％である。支持ピン１８は、ボア１７に押し込まれることによってソノトロード１１に保持されている。これは、たとえば支持ピン１８を冷却によって収縮させ、次いでベアリング開口２９を介してボア１７に導入するコールドシュリンクプロセスによって実現可能である。その後の再加熱動作中に、支持ピン１８はボアに押し込まれる。
【００３８】
このようにして、ソノトロード１１は、ソノトロードヘッド１２の（ねじり軸Ｔに対する）内側領域内にのみ支持される。言い換えれば、支持領域１６は、ソノトロードヘッド１２の（ねじり軸Ｔに対する）内側領域のみを構成する。支持領域１６および溶接面１４は、ねじり軸Ｔに対して垂直に延在する共通面Ｅ内に延在している。
【００３９】
本発明に係る上記の実施形態の結果、振動ノードの位置は、実際には、溶接面１４に対して作用する力またはトルクに依存することはない。上記の力またはトルクから独立して、超音波エネルギの無視できないほどの除去が支持装置１５によって引き起こされることはなく、その結果、超音波エネルギの大部分を実際の溶接目的に利用することができる。
【００４０】
この例示的な実施形態では、支持ピン１８は、中空ピン１８として構成される。しかし、代替例として、支持ピン１８は中実の材料で構成されてもよい。
【００４１】
支持ピン１８は、互いに反対側に位置し、かつ、いずれの場合にも共通の一体成形のベアリングブロック２３のベアリングブッシュ２１の１つのベアリング開口２９に受けられる２つの端部２０を有する。このようにして、ベアリングブロックに力およびトルクを伝達することができる。支持ピン１８は、ソノトロードヘッド１２の特に正確な位置決めを可能にする。
【００４２】
さらに、装置１０は、ベアリングブロック２３上でねじり軸Ｔに対して垂直に作用する力Ｋを発生させるための圧力装置（ここでは図示せず）を備え得る。このようにして、第２の部品に接続される第１の部品に溶接面１４のうちの１つを押圧することができる。
【００４３】
図２ａ〜図２ｅは、超音波を用いて部品を溶接するための本発明に係る第２の装置１０′を示す。
【００４４】
図２ａによれば、装置１０′は、ソノトロード１１′を受ける溝状の凹部を有するベアリングブロック２６′を備える。また、上記ソノトロード１１′は、２つのエンドピース１３′と、その間に配置されるソノトロードヘッド１２′とを備え、ソノトロードヘッド１２′は、端部にいずれの場合にも１つの溶接面１４′が存在する２つの突起２２′を有する。エンドピース１３′を介して、ソノトロードヘッド１２′は、２つの振動発生装置（図示せず）によってねじり軸Ｔに対してねじり振動を起こすように励起され得る。支持ピン１８′の２つの両端２０′は、クランプ爪２７′を利用してベアリングブロック２６′に締結されている。クランプ爪２７′は、ねじ開口２８′に挿入されたボルトによってベアリングブロック２６′上に固定されている。支持ピン１８′は、ベアリングブロック２６′からクランプ爪２７′を解放することによって特に簡単にアクセスすることができる。ねじり軸Ｔに対して垂直に作用する力Ｋは、圧力装置（ここでは図示せず）、たとえば空気圧シリンダによってベアリングブロック２６′に対して働かせることができ、その結果、第２の部品に接続される第１の部品に溶接面１４′を押圧することができる。
【００４５】
図２ｂに係る断面図から分かるように、装置１０′は、ソノトロード１１′のエンドピース１３′を保持する２つの支持体３０′を備える。上記２つの支持体３０′は、たとえば積層ファブリックボードで構成されてもよい。上記２つの支持体３０′は、同様に、エンドピース１３′を支持するための溝状のくぼみを備える。ソノトロード１１′の位置は、支持体３０′を利用して特に正確に設定することができる。
【００４６】
図２ｃにおける断面図から推測できるように、ソノトロード１１′は、ねじり軸Ｔと交差し、かつ、その途中で、ねじり軸Ｔに対して垂直に、また２つの突起２２′を接続する接続線Ｖに対して垂直にソノトロードヘッド１２′を貫通するボア１７′を有する。ボア１７′には、ボア１７′における支持領域１６′内にソノトロード１１′を支持する支持ピン１８′が挿入されている。ここで、支持ピン１８′は、中間嵌めを用いて保持され、その結果、必要な場合、たとえば摩耗、湾曲または破損した場合には、交換することができる。支持領域１６′にはソノトロードヘッド１２′の振動ノードがある。
【００４７】
図２ｄは、ソノトロードヘッド１２′の詳細な斜視断面図を示す。ここで明らかに分かるように、ボア１７′は、支持領域１６′において第１の内径を有し、互いに対向する２つの開口セクション１９′において第２の内径を有し、第２の内径は第１の内径よりも大きい。したがって、ボア１７′は、支持領域１６′の方向にテーパ状になっている。
【００４８】
図２ｅは、支持ピン１８′を詳細に示す。第１の例示的な実施形態の支持ピン１８とは対照的に、上記支持ピン１８′は、中実の材料で構成されている。支持ピン１８′は、第１の外径を有する中央領域２４′と、第１の外径よりも小さな第２の外径を有する、互いに対向する２つの端部領域２５′とを備える。したがって、支持ピン１８′は、ソノトロードヘッド１２′が支持される中央領域の方向に広くなっている。
【００４９】
支持ピン１８′に沿った支持領域１６′の長さは、支持ピン１８′に沿ったソノトロードヘッド１２′の大きさの約２５％である。
【００５０】
その結果、全体的に見て、ソノトロードヘッド１２′は、ソノトロードヘッド１２′の（ねじり軸Ｔに対する）内側領域内にのみ支持される。さらに、支持領域１６′および２つの溶接面１４′は、ねじり軸Ｔに対して垂直に延在する共通面Ｅ内に延在している。本発明に係るこの構成には、既に上記した利点がある。
【００５１】
それが図２ａ〜図２ｃの下部に示される溶接面１４′を使用できるようにするために、まず第一に、クランプ爪２７′をベアリングブロック２６′から解放することができる。ボア１７′および支持ピン１８′のセンタリング動作のために、ならびに全体的配置が対称であるために、ソノトロード１１′は、次いで、支持ピン１８′とともにねじり軸Ｔを中心として１８０°だけ簡単に回転させることができ、その結果、端部２０′が再びベアリング開口２９′に受けられる。その後、クランプ爪２７′を再びベアリングブロック２６′に締結することができる。上記位置決めは、支持ピン１８′のために極めて正確である。
【００５２】
図３に示される本発明に係る第３の装置１０″では、図２ａ〜図２ｅに示される装置１０′とは対照的に、支持ピンが中空のピン１８″として構成されている。支持ピンは、センタリングされた連続的に円筒形のダクト３１″を有し、当該ダクト３１″を介して温度制御流体、特に冷却媒体または加熱媒体、たとえば水をソノトロードヘッド１２″に再び導入したり、ソノトロードヘッド１２″を通して導いたり、ソノトロードヘッド１２″から導出したりすることができる。このようにして、溶接面１４″の領域におけるソノトロードヘッド１２″温度制御、特に冷却または加熱を実現することができる。ダクト３１″は、支持ピン１８″の両端２０″に配置される開口３２″，３３″において開口している。温度制御流体は、第１の開口３２″を介して導入することができ、第２の開口３３″から再び排出することができる。したがって、ダクト３１″は、温度制御流体を導入および排出するための供給ダクトと、温度を制御するための温度制御ダクトとを同時に形成する。冷却媒体が使用される場合、この実施形態は、溶接中に大半の熱が生成される溶接面１４″の領域でのソノトロード１１″の冷却を可能にする。
【００５３】
図４は、溶接面１４′′′がソノトロードヘッド１２′′′の端面に配置される本発明に係る第４の例示的な実施形態を概略的に示す。ここでも、支持ピン１８′′′が設けられ、当該支持ピン１８′′′は、ボア１７′′′における支持領域１６′′′内にソノトロード１１′′′を支持する。支持ピン１８′′′の端部２０′′′は、２つのベアリング開口（ここでは図示せず）に保持されている。支持ピン１８′′′は、温度制御流体をソノトロードヘッド１２′′′に導入することができる供給ダクト３１′′′を備える。ソノトロードヘッド１２′′′の内部では、供給ダクト３１′′′に流体接続される温度制御された溝（同様に、ここでは図示せず）が溶接面１４′′′の領域に設けられている。このようにして、溶接面１４′′′の領域においてソノトロードヘッド１１′′′を冷却することができる。
【００５４】
図４に係るソノトロードヘッド１２′′′は、ねじり軸Ｔに対してねじり振動を起こすように、または長手方向振動を起こすように励起可能であり得て、支持領域１６′′′は、ソノトロードヘッド１２′′′のねじりまたは長手方向振動ノードを含む。この領域に支持ピン１８′′′が配置されているために、温度制御流体の供給が損なわれることはない。
【図１ａ】
2018527187.tif 000003
【図１ｂ】
2018527187.tif 000004
【図２ａ】
2018527187.tif 000005
【図２ｂ】
2018527187.tif 000006
【図２ｃ】
2018527187.tif 000007
【図２ｄ】
2018527187.tif 000008
【図２ｅ】
2018527187.tif 000009
【図３】
2018527187.tif 000010
【図４】
2018527187.tif 000011
【国際調査報告】
2018527187.tif 000012
2018527187.tif 000013
2018527187.tif 000014
2018527187.tif 000015
2018527187.tif 000016
2018527187.tif 000017
2018527187.tif 000018
2018527187.tif 000019
2018527187.tif 000020
2018527187.tif 000021